(57)【特許請求の範囲】
【請求項１】
縦枠と、縦枠に沿って上下動可能な障子を備え、縦枠は上端内部に障子を吊るワイヤーを巻き取るドラム式バランサーを有し、障子は、内倒しアームを有すると共に縦框の上下方向の任意の位置で且つ内倒しアームに干渉しない位置に内倒しラッチを有し、内倒しラッチは、縦框見込面から縦枠内に出没自在なラッチボルトを有し、障子を上げ切った状態で、障子の上端部がドラム式バランサーよりも縦枠の内周側に位置し、且つラッチボルトがドラム式バランサーの下端よりも下方に位置することを特徴とする上げ下げ窓。
【発明の詳細な説明】
【技術分野】
【０００１】
本発明は、上げ下げ窓に関する。  
【背景技術】
【０００２】
特許文献１には、障子を吊って障子の重量との均衡を図るバランサーを、上枠内に設けた上げ下げ窓が開示されている。
【先行技術文献】
【特許文献】
【０００３】
【特許文献１】特許第４５７０４７７号公報
【発明の概要】
【発明が解決しようとする課題】
【０００４】
しかし、特許文献１の上げ下げ窓では、バランサーを上枠内に設けているので、上枠の見付寸法が大きくなるため、窓の開口面積が小さくなるという不都合があった。
【０００５】
そこで、本発明は、開口面積を大きくできる上げ下げ窓の提供を目的とする。
【課題を解決するための手段】
【０００６】
請求項１に記載の発明は、縦枠と、縦枠に沿って上下動可能な障子を備え、縦枠は上端内部に障子を吊るワイヤーを巻き取るドラム式バランサーを有し、障子は、内倒しアームを有すると共に縦框の上下方向の任意の位置で且つ内倒しアームに干渉しない位置に内倒しラッチを有し、内倒しラッチは、縦框見込面から縦枠内に出没自在なラッチボルトを有し、障子を上げ切った状態で、障子の上端部がドラム式バランサーよりも縦枠の内周側に位置し、且つラッチボルトがドラム式バランサーの下端よりも下方に位置することを特徴とする上げ下げ窓である。
【発明の効果】
【０００７】
請求項１に記載の発明によれば、障子を吊るドラム式バランサーを縦枠の上端内部に設けているので、上枠の見付寸法を小さくできると共に、内倒しラッチを縦框の上下方向の任意の位置に設けることで、障子を上げたときに内倒しラッチのラッチボルトがドラム式バランサーに干渉しないで上げ切ることができるから、障子の上げ切り位置を高くできるので、開口面積を大きくできる。
【図面の簡単な説明】
【０００８】
【図１】第１実施の形態にかかる上げ下げ窓において、障子を上げ切って開いた状態を室内側から見た正面図である。
【図２】図１に示すＡ−Ａ断面図である。
【図３】第１実施の形態にかかる上げ下げ窓において、障子を閉じた状態を室内側から見た正面図である。
【図４】第１本実施の形態にかかる上げ下げ窓において、障子を内倒した状態を示す縦断面図である。
【図５】図３に示すＢ−Ｂ断面図である。
【図６】図３に示すＥ−Ｅ断面図である。
【図７】内倒しラッチを取り付けた右縦框の図であり、（ａ）は横断面図、（ｂ）は（ａ）で示す縦框を矢印Ｄ方向から見た側面図、（ｃ）は（ａ）に示すＣ−Ｃ断面図である。
【図８】内倒しラッチの操作部を含む縦框部分を室内側から見た正面図であり、（ａ）はラッチボルトが突出した状態、（ｂ）はラッチボルトを没入している操作途中の状態、（ｃ）はラッチボルトが没入した状態である。
【図９】第２実施の形態にかかる上げ下げ窓であって、内倒しラッチの操作部を含む縦框部分を室内側から見た正面図であり、（ａ）はラッチボルトが突出した状態、（ｂ）はラッチボルトを没入している操作途中の状態、（ｃ）はラッチボルトが没入した状態である。
【図１０】図９に示す内倒しラッチを取り付けた右縦框の横断面図である。
【図１１】第３実施の形態にかかる上げ下げ窓であって、内倒しラッチの操作部を含む縦框の横断面であり、（ａ）はラッチボルトが縦框から突出した状態、（ｂ）はラッチボルトが縦框に没入した状態である。
【図１２】第１実施の形態の変形例であって、内倒しラッチを取り付けた右縦框の図であり、（ａ）は室内側から見た正面図、（ｂ）は（ａ）で示す縦框を矢印Ｆ方向から見た側面図である。
【図１３】第１実施の形態の変形例であって、内倒しラッチを取り付けた右縦框の図であり、（ａ）は室内側から見た正面図、（ｂ）は（ａ）で示すＧ−Ｇ断面図、（ｃ）は（ｂ）に示す規制部材の変形例の断面図である。
【発明を実施するための形態】
【０００９】
以下に、添付図面を参照して本発明の実施の形態について説明する。  
図３に示すように、本実施の形態にかかる上げ下げ窓１は、枠３と、外障子５と、内障子（障子）７とを備えており、外障子５は固定障子であり、内障子７は上下に移動可能な可動障子である。尚、図４に示すように、内障子７は室内側へ倒して開閉自在である。  
図１及び図３に示すように、枠３は、上枠３ａ、下枠３ｂ及び左右の縦枠３ｃ、３ｃを枠組みしてあり、左右の縦枠３ｃ、３ｃの各上端部と上枠３ａに亘ってドラム式バランサー９が設けてある。ドラム式バランサー９は、内障子７を吊るワイヤー１０をドラム９ａで巻き取るものであり、ドラム式バランサー９が巻き取るワイヤー１０の下端部は、内障子７の下端部７ａに連結してある。このドラム式バランサー９は内障子７の重量との均衡を図り、内障子７を上下にスライドしたときに任意の位置で停止できるようにしたものである。  
左右の縦枠３ｃ、３ｃの各上端部（ドラム式バランサー９の内周側）には、内障子７が上方にスライドしたときにその上げ切り位置を規制する障子ストッパー１４が設けてある。  
また、枠３は断熱枠であり、図５及び図６にハッチで示すように、各上枠３ａ、下枠３ｂ及び左右の縦枠３ｃ、３ｃの室内側部分４は樹脂材製としてある。図６に示すように、左右の縦枠３ｃ、３ｃには、内障子７の移動を案内する案内溝１３が上下方向に沿って形成してある。  
図５に示すように、内障子７の上框１７にはその左右方向中央部に外障子５の下框に設けた引き寄せ部材４８に係合する引き寄せ具４９が設けてある。  
【００１０】
図３に示すように、内障子７は、框１５と、框１５の内周側に設けたガラス１６を有し、框１５は上框１７と、下框１９と左右の縦框２１、２１を框組みしてあり、左右の縦框２１、２１間に上框１７と下框１９とが取り付けてある。図５及び図６にハッチで示すように、内障子７の框１５の室内側部分１８は、樹脂材製であり、断熱構造としてある。  
図３及び図６に示すように、左右の縦框２１、２１には、各々対応する縦枠３ｃ、３ｃに係合し、内障子７を室内側へ倒す（図４参照）ときに縦枠３ｃ、３ｃとの係合を解除する内倒しラッチ２３が設けてあると共に内障子７を倒したときに、縦枠３ｃに対する内障子７の内倒し角度を規制する内倒しアーム１２が設けてある。  
図４に示すように、内倒しアーム１２は、一端が縦枠３ｃを上下方向にスライド自在なアームスライダー１２ａに取り付けてあり、他端が内障子７の縦框見込面２１ａに固定したベース金具１２ｂに取り付けてある。  
【００１１】
次に、内倒しラッチ２３について説明するが、左右の縦框２１、２１において各内倒しラッチ２３の構成及び取り付け構造は同じであるから、以下の説明では右縦框（室内側から見て右側の框）２１の内倒しラッチ２３について説明する。  
図１に示すように、内倒しラッチ２３は、縦框２１の上下方向中間位置で且つベース金具１２ｂの上方に設けてあり、内倒しアーム１２と干渉しない位置としてある。この内倒しラッチ２３は、ラッチボルト２７と、ラッチボルト２７の出没を操作する操作部２９を備えており、ラッチボルト２７は縦框見込面２１ａから縦枠３ｃ内へ出没自在であり、操作部２９は縦框２１の室内側見付面２１ｂに設けてある。  
また、内倒しラッチ２３は、内障子７を上げ切った状態で、ラッチボルト２７がドラム式バランサー９の下端９ｂよりも下方に位置している。  
図７及び図８に示すように、操作部２９は操作レバー２９ａと、操作レバー２９ａの一端部に取り付けた回動軸２９ｂとを有し、操作レバー２９ａは立ち上げ位置と水平位置とに回動軸２９ｂを約９０°回動自在としてある。図７（ｃ）に示すように、回動軸２９ｂはラッチボルト２７の後端部に形成されたキー溝２７ａに嵌合してある。  
ラッチボルト２７は縦框見込面２１ａから縦枠３ｃ側へ出没自在であり、図８（ａ）に示すように、操作レバー２９ａを立ち上げた位置では、ラッチボルト２７は縦框見込面２１ａから突出し、図８（ｂ）に示すように操作レバー２９ａをガラス１６側へ倒すように回動して、図８（ｃ）に示すように、操作レバー２９ａを水平位置に回動したときにラッチボルト２７が立ち上がり、縦框２１内に没して、縦枠３ｃとの係合を解除するようになっている。  
【００１２】
次に、上げ下げ窓１の開閉操作について説明する。  
内障子７が上げ下げ窓１の全開位置（図１参照）、全閉位置（図３参照）及び上げ下げ操作をしているときには、内倒しラッチ２３のラッチボルト２７は縦框見込面２１ａから縦枠３ｃの案内溝１３内に突出した位置にある。このとき、操作レバー２９ａは立ち上げた状態である。  
尚、図３、図５及び図６に示すように、内障子７が全閉位置にあるときには、必要に応じて引き寄せ具（クレセント）４９で引き寄せ部材４８を引き寄せて施錠する。  
図３に示す内障子７の全閉位置から内障子７を押し上げて、任意の位置まで上げることで、任意の開口で内障子７を開く。  
一方、図１に示すように、障子を全開状態とする場合には、内障子７を押し上げて左右縦框２１、２１の上端が障子ストッパー１４に当たる位置で障子の上げ切り位置にする。この全開位置では、内倒しラッチ２３のラッチボルト２７は、ドラム式バランサーの下端９ｂよりも下方に位置している。  
【００１３】
上げ下げ窓１において、内障子７を内倒しする場合には、図３に示す全閉状態において、左右の内倒しラッチ２３の操作レバー２９ａを、図８（ａ）に示す立ち上がり位置から、図８（ｂ）に示すように内障子７のガラス１６側に向けて倒すように回動し、図８（ｃ）に示すように、操作レバー２９ａを略水平位置にする。一方、ラッチボルト２７は縦框２１内で直立した位置となる。これにより、ラッチボルト２７が縦框見込面２１ａから没入状態となり、縦枠３ｃとの係合が解除され、内障子７の内倒し可能状態になる。尚、操作レバー２９ａを更に回動しようとすると縦框２１の中空壁部２１ｃ（図７（ａ）参照）にラッチボルト２７が当接して、ラッチボルト２７のそれ以上の回動が規制される。  
そして、図４に示すように、内障子７を室内側に倒すと、内倒しアーム１２により、内障子７は所定角度まで倒した位置で保持される。  
【００１４】
次に、本実施の形態にかかる上げ下げ窓１の作用効果について説明する。  
図１に示すように、本実施の形態にかかる上げ下げ窓１は、内障子７を吊るドラム式バランサー９を縦枠３ｃ、３ｃの上端部に設けているので、上枠３ａの見付寸法を小さくできると共に、内倒しラッチ２３を縦框２１の上下方向中間位置に設けることで、内障子７を上げたときに内倒しラッチ２３のラッチボルト２７がドラム式バランサー９に干渉しないで上げ切ることができるから、内障子７の上げ切り位置を高くできるので、開口面積を大きくできる。  
【００１５】
内倒しラッチ２３では、操作部２９は操作レバー２９ａを回動してラッチボルト２７を出没する構成であるから、操作部２９を水平移動してラッチボルト２７を出没する構成に比較してラッチボルト２７が出没するための水平方向のストロークを小さくできので、これによっても更に縦框２１の見付を小さくでき、採光面積を増大できる。また、縦框２１の見付が小さくなることで断熱性が高いガラスの面積比率が高くなるので、窓全体としての断熱性を向上できる。  
内倒しラッチ２３は、回動軸２９ｂをラッチボルト２７の後端部に形成されたキー溝２７ａに嵌合して連結してあり、操作レバー２９ａとラッチボルト２７とが相対変位不能に固定しているので部品を単純化することができると共に、固着強度を強固にでき、部品の耐久性を向上できる。  
内倒しラッチ２３は、ラッチボルト２７のキー溝２７ａに操作レバー２９ａの回動軸２９ｂを挿入して固着することで組み立てできるから、構成が簡易で且つ組み立てが容易であり、更に部品の製造コストを安価にできる。  
左右の縦枠３ｃ、３ｃの各上端部に障子ストッパー１４を設けて、内倒しラッチ２３のラッチボルト２７がドラム式バランサー９と干渉しない位置で内障子７の位置を規制しているので、ラッチボルト２７とドラム式バランサー９の干渉による損傷を防止できる。
内障子７が閉鎖位置にあるときには、外障子５の引き寄せ部材４８に内障子７の上端に設けた引き寄せ具４９で施錠することで、耐風性能や水密・気密性能に影響がなく、内倒しラッチ２３を内障子７の上端に設けた場合と同等の性能を保持することができる。  
【００１６】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図９及び図１０に、本発明の第２実施の形態にかかる上げ下げ窓１における内倒しラッチ２３の構成を示す。この第２実施の形態では、内倒しラッチ２３のラッチボルト２７は、一方のリンク３３ａと他方のリンク３３ｂとで構成してあり、一方のリンク３３ａ及び他方のリンク３３ｂの一端部を軸部材３５で連結し、一方のリンク３３ａの他端部３７は縦框２１に回動自在に取り付けてあり、他方のリンク３３ｂの他端部３９は、操作部２９の操作摘み２９ｄの軸部２９ｅに回動自在に連結してある。図９に示すように、操作部２９の操作摘み２９ｄは、縦框２１の室内側見付け面に上下動自在に設けてある。  
この第２実施の形態によれば、内倒しラッチ２３の構成及びその効果を除いて、上述した第１実施の形態と同様の作用効果を奏すると共に、操作摘み２９ｄは上下にスライドすることでラッチボルト２７を縦框見込面２１ａから出没できるので操作性が良い。  
操作摘み２９ｄは縦框２１の長手方向にスライドする構成であり、縦框２１の見付方向に移動するものでないから、縦框２１の見付寸法設定の自由度が高い。  
【００１７】
図１１に第３実施の形態にかかる上げ下げ窓１における内倒しラッチ２３の構成を示す。この第３実施の形態による内倒しラッチ２３では、ラッチボルト２７に操作摘み２９ｄの軸部２９ｅを嵌合固定してあり、ラッチボルト２７の後端部にラッチボルト２７を縦框見込面２１ａから突出方向に付勢するバネ４１を設けある。操作摘み２９ｄは縦框２１の見付方向にスライド自在としてある。  
図１１（ａ）に示すように、内倒しラッチ２３の非操作時には、ラッチボルト２７はバネ４１の付勢力により押されて縦框見込面２１ａから縦枠３ｃ側へ突出した状態としてある。  
図１１（ｂ）に示すように、ラッチボルト２７を縦框見込面２１ａに没入する場合には、操作摘み２９ｄをバネ４１の付勢力に抗してガラス１６（図３参照）側へスライドする。  
この第３実施の形態によれば、内倒しラッチ２３の構成及びその効果を除いて、上述した第１実施の形態と同様の作用効果を奏すると共に、内倒しラッチ２３の機構を操作摘み２９ｄを左右方向にスライドする構成であるから、内倒しラッチ２３を簡易な構成で且つ部品点数を少なくできるので、部品コストを低減できる。ラットボルト２７は、バネ４１でラッチボルト２７を常時突出するように付勢することで、内倒しラッチ２３のかけ忘れや誤操作を防止できる。  
【００１８】
本発明は、前述した実施の形態に限定されるものではなく、その要旨を逸脱しない範囲で種々変形可能である。  
例えば、第１〜第３実施の形態において、内倒しラッチ２３の位置は、内倒しアーム１２を内障子７に取り付けているベース金具１２ｂ（図１及び図４参照）の位置よりも下方に設けても良い。この場合、内倒しアーム１２のベース金具１２ｂを縦框２１の上端部に設けることで、内障子７の上端部を安定に且つ強固に支持することができ、内倒し状態で突風が吹いたり、内障子７の清掃時に障子に体重がかかった場合に内障子７の破損を防止できる。  
第１実施の形態において、図１２に示す変形例で示すように、操作レバー２９ａとラッチボルト２７との間にトーションコイルバネ４３を設けて、トーションコイルバネ４３の一端部４３ａをラッチボルト２７に係止し、他端部４３ｂを縦框２１に係止して、操作レバー２９ａを常時起立位置に付勢するものであっても良い。この図１２に示す変形例では、ラッチボルト２７を常時突出するように付勢することで、内倒しラッチ２３のかけ忘れや誤操作を防止できる。  
第１実施の形態において、図１３（ａ）（ｂ）の変形例で示すように、操作レバー２９ａが起立位置にあるときに操作レバー２９ａの押し倒しを規制する規制部材４７を設けて、規制部材４７はバネ５０の付勢力により縦框２１の室内側見付面から突出してあり、規制部材４７を縦框２１に指で押し込むことで、操作レバー２９ａを押し倒し操作可能にする。この構成によれば、操作レバー２９ａの誤操作を防止でき、安全に操作できる。  
更に、図１３（ｃ）に示すように、規制部材４７の突出面を傾斜面４７ａにしても良い。傾斜面４７ａは操作レバー２９ａの水平位置から起立位置（垂直位置）へ向けて高くなるように傾斜してある。ラッチボルト２７を没するときには指で規制部材４７を押し込むが、ラッチボルト２７を突出させるように操作レバー２９ａを水平位置から立ち上げ位置へ操作するときには、規制部材４７を押し操作することなく、操作レバー２９ａが傾斜面４７ａ上を摺動して規制部材４７を押し下げることができるから、操作性が良い。  
第３実施の形態において、図１１に示すコイルバネ４１を設けないで、操作摘み２９ｄのスライド操作のみでラッチボルト２７を出没操作するものであっても良い。この場合、操作摘み２９ｄは、ラッチボルト２７が突出状態にあるときに操作摘み２９ｄの操作を規制する構成にしても良い。例えば、縦框２１に上下動可能な規制部材を別に設けてラッチボルト２７の突出位置で規制部材４７が操作摘み２９ｄに係合する構成としても良い。  
第３実施の形態において、ラッチボルト２７を付勢するバネ４１はラッチボルト２７の後端にラッチボルト２７に対して直列に設けることに限らず、ラッチボルト２７に並列に設けてラッチボルトを付勢する構成としても良いし、操作部２９を縦枠３ｃ側に付勢するものであれば良い。  
【符号の説明】
【００１９】
１    上げ下げ窓
３ｃ  縦枠
７    内障子（障子）
９    ドラム式バランサー
９ｂ  下端
１０  ワイヤー
１２  内倒しアーム
２１  縦框
２１ａ  縦框見込面
２３  内倒しラッチ
２７  ラッチボルト
【図１】
0006488200.tif 000002
【図２】
0006488200.tif 000003
【図３】
0006488200.tif 000004
【図４】
0006488200.tif 000005
【図５】
0006488200.tif 000006
【図６】
0006488200.tif 000007
【図７】
0006488200.tif 000008
【図８】
0006488200.tif 000009
【図９】
0006488200.tif 000010
【図１０】
0006488200.tif 000011
【図１１】
0006488200.tif 000012
【図１２】
0006488200.tif 000013
【図１３】
0006488200.tif 000014